(57)【要約】【課題】単純な構造で、低コストで、太陽熱を利用した効率的な塩類等含有水の淡水化方法、装置およびそれに用いる浮上性多孔担体を提供する。【解決手段】塩類等含有水１の水面上に、ドーム型密閉器２を該水面を密閉するように設置し、ドーム型密閉器２で密閉された水面上に浮上性多孔担体３を浮かべ、波力により浮上性担体３を動かすことで担体３表面及び内部に塩類等含有水の薄膜を形成させ、ドーム型密閉器２内で蒸発・凝縮した水分を密閉器３の内壁に沿って回収することを特徴とする。ドーム型密閉器２の上部は、蒸発した水分が対流し、且つ凝縮水が密閉器３端部の凝縮水回収タンク４に導かれるように適度な勾配を有していることが好ましい。【選択図】        図１
2006150148.tif 000002
【特許請求の範囲】
【請求項１】
塩類等を含有する水の水面上に、ドーム型密閉器を該水面を密閉するように設置し、該ドーム型密閉器で密閉された水面上に浮上性多孔担体を浮かべ、波力により浮上性担体を動かすことで担体表面及び内部に塩類等含有水の薄膜を形成させ、該ドーム型密閉器内で蒸発・凝縮した水分を該密閉器の内壁に沿って回収することを特徴とする塩類等含有水の淡水化方法。
【請求項２】
前記ドーム型密閉器の上部は、蒸発した水分が対流し、且つ凝縮水が密閉器端部の凝縮水回収タンクに導かれるように適度な勾配を有していることを特徴とする請求項１記載の塩類等含有水の淡水化方法。
【請求項３】
塩類等を含有する水の水面上に該水面を密閉するように設置されるドーム型密閉器と、該ドーム型密閉器で密閉された水面上に浮かべ波力により動かすことで表面及び内部に塩類等含有水の薄膜を形成させる浮上性多孔担体とを有することを特徴とする塩類等含有水の淡水化装置。
【請求項４】
請求項１記載の塩類等含有水の淡水化方法で用いられる浮上性担体であって、該素材が炭化ジルコニウム等の発熱性・蓄熱性を有する材料を混入して成型されたものであることを特徴とする浮上性多孔担体。
【発明の詳細な説明】
【０００１】
【発明の属する技術分野】
本発明は塩類等含有水の淡水化方法、装置およびそれに用いる浮上性多孔担体に関し、特に、単純な構造で、低コストで、太陽熱を利用した効率的な塩類等含有水の淡水化方法、装置およびそれに用いる浮上性多孔担体に関する。
【従来の技術】
【０００２】
逆浸透（ＲＯ）法による淡水化装置や火力による蒸発装置、太陽光を専用の集光装置を用いて集光させ、その熱エネルギーを使った蒸発装置などがある。また、海水を海水面上に浮かせた蒸発槽に導入して底面の集熱板により集めた太陽熱で蒸発させ、凝縮水を得る方式もある（例えば、特許文献１及び２参照。）。その他、気密的に透光性シートでドーム状に覆った気膜構造内に送った炭酸ガスを太陽の輻射熱で加熱するとともに、下部の海水を蒸発させ、夜間の降温とともに凝縮水を集水し、海水を淡水化する方法がある（例えば、特許文献３参照。）。
【０００３】
【特許文献１】
特開昭５６−１３０２９１号公報
【特許文献２】
特開昭５６−１３３０８８号公報
【特許文献３】
特開昭５７−２１９７６号公報
【０００４】
【発明が解決するための課題】
しかしながら、前記の従来の技術の装置は省スペースであるが、複雑で設備費が高く、また、電気や化石燃料を使うためランニングコストがかかっていた。また、太陽熱を利用した淡水化方法は低コストであるが効率的に不十分であった。
本発明は、上記従来の技術の欠点を克服し、単純な構造で、低コストで、太陽熱を利用した効率的な塩類等含有水の淡水化方法、装置およびそれに用いる浮上性多孔担体を提供することを目的とする。
【０００５】
【課題を解決するための手段】
本発明者らは、鋭意検討の結果、以下の構成を採ることにより上記従来の技術の欠点を克服できることを見出し本発明を成すに至った。
即ち、本発明は以下の通りである。
（１）塩類等を含有する水の水面上に、ドーム型密閉器を該水面を密閉するように設置し、該ドーム型密閉器で密閉された水面上に浮上性多孔担体を浮かべ、波力により浮上性担体を動かすことで担体表面及び内部に塩類等含有水の薄膜を形成させ、該ドーム型密閉器内で蒸発・凝縮した水分を該密閉器の内壁に沿って回収することを特徴とする塩類等含有水の淡水化方法。
（２）前記ドーム型密閉器の上部は、蒸発した水分が対流し、且つ凝縮水が担体を浮べた水面ではない密閉器端部の凝縮水回収タンクに導かれるように適度な勾配を有していることを特徴とする前記（１）の塩類等含有水の淡水化方法。
【０００６】
（３）塩類等を含有する水の水面上に該水面を密閉するように設置されるドーム型密閉器と、該ドーム型密閉器で密閉された水面上に浮かべ波力により動かすことで表面及び内部に塩類等含有水の薄膜を形成させる浮上性多孔担体とを有することを特徴とする塩類等含有水の淡水化装置。
（４）前記（１）の塩類等含有水の淡水化方法で用いられる浮上性担体であって、該素材が炭化ジルコニウム等の発熱性・蓄熱性を有する材料を混入して成型されたものであることを特徴とする浮上性多孔担体。
【０００７】
本発明は、用いる装置構造が単純で、太陽光や太陽熱を直接利用するだけなので低コストで塩類等を含有する水を脱塩できる。また、浮上性多孔担体を用いて波力により薄膜を形成させるため、従来法に比べて経済的且つ効率的である。
【０００８】
【発明の実施の形態】
本発明について、その概略を示した図１を用いて説明する。
本発明は、海上等の塩類等を含有する水１の水面上に、ドーム型密閉器２を該水面を密閉するように設置し、該ドーム型密閉器２で密閉された水面上に浮上性多孔担体３を浮かべ、波力により浮上性担体３を動かすことで担体表面及び内部に塩類等含有水の薄膜を形成させ、該ドーム型密閉器２内で蒸発・凝縮した水分を該密閉器２の内壁に沿って回収することを特徴とするものである。
ドーム型密閉器２で密閉された水面上に浮かべられた浮上性多孔担体３は、波の動きにより、上下及び横方向に移動・回転することにより、その表面および内部に塩類等含有水の薄膜が形成される。塩類等含有水が浮上性多孔担体３の表面および内部に薄膜として形成されることにより、ドーム型密閉器２内で気化・蒸散し易くなる。
【０００９】
該ドーム型密閉器２内では、昼間は、太陽の輻射熱によって塩類等含有水の蒸発が促進され、水蒸気が過飽和の状態で対流し、夜間は、蒸気が凝縮して水滴となり該ドーム型密閉器２の内壁に付着する。
該ドーム型密閉器２の端部に貯水槽４を設けることにより、上記の如くドーム型密閉器２の内壁に付着した水滴が、該密閉器の内壁に沿って貯水槽４へ回収される。
また、ドーム型密閉器２は、下端部に浮体５を設ける事によって、水面上に設置してもよい。
【００１０】
浮上性多孔担体３は、淡水化しようとする塩類等含有水よりも密度が小さく、該塩類等含有水中で浮き上がるものである。淡水化しようとする塩類等含有水は、その密度が純水（密度：１）より大きいため、使用する浮上性多孔担体３は、必ずしも１未満ではない。
浮上性多孔担体３は、脱塩する塩水等の水温や濃度により最も薄膜を形成しやすい孔径に制御することで、効率的に薄膜形成を行うことができる。該浮上性多孔担体３は、その素材として炭化ジルコニウム等の発熱性・蓄熱性を有する材料を混入して成型されたものであることが好ましい。
ドーム型密閉器２は、設置した水面域において太陽の輻射熱によって生じた水蒸気を密閉し、夜間等に温度が低くなった際にはその内壁に水蒸気を凝縮させ、凝縮させた水滴が内壁に沿って貯水槽４へ回収されるような、素材、構造、形状、大きさであれば、特に限定されない。
【００１１】
【実施例】
以下、実施例により本発明を具体的に説明するが、本発明はこの実施例により何等制限されるものではない。
図１に示すような直径５００mmの円形ドーム２個（ドーム１、ドーム２）に海水をはった水槽（2,000ｍｍ×2,000mm×500mm）に浮かべた。ドーム１には内部に多孔性担体（ポリスチレン製、φ２０mm、比重０．３、２００個投入）を全面に浮かべ、ドーム２は担体を投入しない系とした。水槽は攪拌機により攪拌し、水面を波立たせた。外気温は２８℃、海水の水温は２０℃とした。
実験の結果、ドーム２の回収凝縮水量は１日当り０．７リットルであり、ドームで覆った海面面積当り３．６リットル／ｍ2・日であった。一方、ドーム１の回収凝縮水量は１日当り２．７リットルであり、ドームで覆った海面面積当り１３．８リットル／ｍ2・日であった。
【００１２】
【発明の効果】
本発明の塩類等含有水の淡水化方法および装置は、単純な構造で、安価に造水が可能であり、水不足解消に有効である。
【図面の簡単な説明】
【図１】本発明の塩類等含有水の淡水化方法および装置の概略を示す図である。
【符号の説明】
１  水
２  ドーム型密閉器
３  浮上性多孔担体
４  貯水槽
５  浮体
【図１】
2006150148.tif 000003